(57)【要約】【課題】運搬しやすい梱包容器を提供する。【解決手段】実施形態にかかる梱包容器は、側部と、前記側部に設けられたコーナー部と、を有し、内部に被梱包物を収容する収容空間を形成するとともに、前記コーナー部の少なくとも一部に前記収容空間の内外を連通する開口部または開口形成可能に構成された開口形成部が設けられた、箱部材と、前記コーナー部の内側に立設される支柱材と、を備える。【選択図】図１
2014024564.tif 000002
【特許請求の範囲】
【請求項１】
側部と、前記側部に設けられたコーナー部と、を有し、内部に被梱包物を収容する収容空間を形成するとともに、前記コーナー部の少なくとも一部に前記収容空間の内外を連通する開口部または開口形成可能に構成された開口形成部が設けられた、箱部材と、
前記コーナー部の内側に立設される支柱材と、
を備えることを特徴とする梱包容器。
【請求項２】
前記開口または前記開口形成部は、前記箱部材の一部が切り欠かれた切欠き部または前記箱部材の一部が切取り可能に構成された切取部であり、
前記箱部材の内側には、前記支柱材を挟んで前記コーナー部と対向配置されるサポート部を有する内装材が設けられることを特徴とする請求項１記載の梱包容器。
【請求項３】
前記収容空間の一方側に設けられ前記被梱包物の一方側を支持する底部と、前記収容空間の他方側を覆う蓋部と、を備え、
梱包状態において、前記支柱材の一端が前記底部に対向し、他端が前記蓋部に対向して配されることを特徴とする請求項１または２記載の梱包容器。
【請求項４】
前記箱部材は互いに角度を有する複数の側面部を有し、前記コーナー部は複数の前記側面部間の隅に形成され、
前記内装材は、前記コーナー部の内側に対向配置されるともに、互いに角度を有して立設する複数の壁面を有し、
前記支柱材は、前記コーナー部の複数の前記側面部と、複数の前記壁面との間に形成される空間に配され、
梱包状態において、前記開口部の内縁と前記支柱の外面との間に隙間が形成され、前記箱部材の外側から前記隙間を通じて前記支柱材を把持可能に構成されることを特徴とする請求項１乃至３のいずれか記載の梱包容器。
【発明の詳細な説明】
【技術分野】
【０００１】
本発明は梱包容器に関し、運搬を容易にするものに関する。
【背景技術】
【０００２】
機器や製品などを梱包した段ボール箱などの梱包容器を運搬する際には、梱包容器を抱え込むようにして持ち上げて移動している。運搬を可能とするために、梱包容器の側壁の一部を切り欠いて指掛け部を形成したものも提供されている。また、梱包容器の周囲にバンドなど紐状部材を掛け、この紐状部材に指を掛けて運搬できるようにし、あるいはさらに紐状部材に別体の把持部材を引っ掛けて把持できるようにする技術も提供されている。
【先行技術文献】
【特許文献】
【０００３】
【特許文献１】実用新案登録３１４２７９８号公報
【特許文献２】特開２００３−４０３２５号公報
【発明の概要】
【発明が解決しようとする課題】
【０００４】
上記の梱包構造にあっては、紐部材や側壁の切り欠きに指を掛けて運ぶため、運搬が困難である。
【課題を解決するための手段】
【０００５】
実施形態にかかる梱包容器は、側部と、前記側部に設けられたコーナー部と、を有し、内部に被梱包物を収容する収容空間を形成するとともに、前記コーナー部の少なくとも一部に前記収容空間の内外を連通する開口部または開口形成可能に構成された開口形成部が設けられた、箱部材と、前記コーナー部の内側に立設される支柱材と、を備える。
【発明の効果】
【０００６】
実施形態によれば、運搬しやすい梱包容器を実現できる。
【図面の簡単な説明】
【０００７】
【図１】第１実施形態に係る梱包容器の開状態を示す分解斜視図。
【図２】同梱包容器の閉状態を示す斜視図。
【発明を実施するための形態】
【０００８】
以下、本発明の一実施形態かかる梱包容器１について、図１及び図２を参照して説明する。なお、図中矢印各Ｘ，Ｙ，Ｚは互いに直交する3方向を示している。各図において説明のため、適宜構成を拡大、縮小または省略して示している。
【０００９】
本実施形態にかかる梱包容器１は、底部を構成するパレット１０と、下側が開口された箱形状を成す箱部材２０と、箱部材２０のコーナー部２３に立設される複数の支柱材３１と、箱部材２０内において被梱包物Ｐの両側部に配される複数の内装材２８と、箱部材２０内において被梱包物Ｐの上部に配される天井材２９と、パレット１０と箱部材２０の周りに掛け回されて固定するバンド４０と、を備え、箱部材２０の内部に形成される収容空間Ｓ１に機器や製品などの被梱包物Ｐを梱包する。なお、本実施形態においては被梱包物Ｐとしてポンプ装置を梱包・運搬する例を示す。
【００１０】
パレット１０は、平行に延びる複数の木製の枠部材１１の上に、延びる複数の枠部材１２が組み付けられてデッキボード１２Ａが構成されている。デッキボード１２Ａの上面部に被梱包物Ｐが据え付けられる。
【００１１】
箱部材２０は、段ボール材などの紙材からなり、被梱包物Ｐの周囲を囲む側部２１と開閉可能な蓋部２２とを一体に有している。側部２１、蓋部２２、及びパレット１０に囲まれる収容空間Ｓ１に被梱包物Ｐが収容可能になっている。
【００１２】
箱部材２０の側部２１は、４つの側面部２１ａ，２１ｂ，２１ｃ，２１ｄを周方向に連続して有し、この間にそれぞれ直角のコーナー部２３が形成されている。
【００１３】
４つのコーナー部２３においては、側面部２１ａ〜２１ｄのうち、互いに９０度の角度を成して立設する２つの側面部で構成される。コーナー部２３の上下方向における所定位置には、箱部材２０の内外を連通する開口部２４を形成する切取部２４ａが設けられている。
【００１４】
切取部２４ａは、コーナー部２３において側部２１の一部にミシン線等の破断線２４ｂが設けられ、破断線２４ｂに囲まれた領域が切り取りやすくなっている。運搬前にこの破断線２４ｂで囲まれた領域が切り取られて開口部２４が形成される。切取部２４ａは支柱材３１の径（幅）よりも大きい幅で切り欠かれ、梱包時に形成された開口部２４の内縁と支柱材３１の外面との間に、手指を挿入できる隙間Ｇ１が形成されるように寸法設定されている。
【００１５】
対向する一対の側面部２１ａ，２１ｃの内側に複数の内装材２８が設置される。各側面部２１ａ，２１ｃの内側に内装材２８が２つずつ対称に配置され、計４つの内装材２８が設けられる。各内装材２８は、例えば所定形状の段ボール等の板材が折曲成形されてなり、壁構造部２８ａと、壁構造部２８ａの端部に形成されるサポート部２８ｂとが、一体に形成される。
【００１６】
壁構造部２８ａは板材が矩形の断面を囲むように折曲成形され閉断面構造を構成している。壁構造部２８ａの上端縁には、天井材２９の挿入片部２９ｂが係合する係合スリット２８ｅが形成されている。
【００１７】
サポート部２８ｂは、壁構造部２８ａの外側端部に連続して形成され、互いに９０度の角度を成して立設する二つの壁面で構成されている。このサポート部２８ｂは、支柱材３１を挟んでコーナー部２３に対向配置される。箱部材２０内に内装材２８が設置された状態で、サポート部２８ｂの２つの壁面とコーナー部２３の２つの側面部との間に、縦に延びる矩形の縦空間Ｓ２が形成される。
【００１８】
天井材２９は、段ボール材等の板材が折曲成形されてなり、被梱包物Ｐの上方を覆う天井部２９ａと、天井部２９ａの両脇が下方に折り曲げられてなる挿入片部２９ｂと、を一体に有している。
【００１９】
蓋部２２は各側面部２１ａ〜２１ｄ上に回動可能に連結された４つの蓋片部２２ａ〜２２ｄを備えている。
【００２０】
複数の支柱材３１は、例えば紙管材であって円筒状に構成されている。支柱材３１は、梱包容器１の寸法や被梱包物Ｐの重量や形状などの各種条件に応じ、所定の長さ、肉厚、径を有して構成される。４本の支柱材３１は、梱包容器１の４隅のコーナー部２３において、縦空間Ｓ２の上下方向の略全長にわたって縦に延びている。
【００２１】
支柱材３１は、外側面がコーナー部２３に支持され、内側面がサポート部２８ｂに支持されるとともに、支柱材３１の上端面３１ａが蓋部２２の四隅にそれぞれ対向し、下端面３１ｂがデッキボード１２Ａの上面にそれぞれ対向する。このとき、開口部２４から支柱材３１の一部が箱部材２０外に露出した状態となるとともに、支柱材３１の両脇には隙間Ｇ１が形成され、箱部材２０の外側から支柱材３１を把持可能になっている。
【００２２】
支柱材３１は、梱包容器１の強度を確保して被梱包物Ｐを保護する機能を果たすとともに、開口部２４により一部が外部に露出されるため、運搬時に把持される持ち手としても機能する。
【００２３】
バンド４０は合成樹脂等からなる帯状の部材であって、パレット１０上の被梱包物Ｐが箱部材２０に覆われた状態で、箱部材２０とパレット１０のデッキボード１２Ａに掛けまわされ、これら箱部材２０とデッキボード１２Ａとを固定する機能を果たす。ここでは一例として、パレット１０の上部に配置されたデッキボード１２Ａの下側を潜るようにバンド４０を掛けまわす。
【００２４】
以上のように構成された梱包容器１を用いた被梱包物Ｐの梱包方法について説明する。まず、図１に示すように、パレット１０上に箱部材２０を組み、蓋部２２が開口した状態でパレット１０のデッキボード１２Ａ上に被梱包物Ｐを据え付け、被梱包物Ｐをパレット１０上に固定する。
【００２５】
そして、側部２１の内側であって被梱包物Ｐの両側に内装材２８を挿入して設置する。このとき、対向配置される内装材２８間に被梱包物Ｐを収容する収容空間Ｓ１が形成されるとともに、内装材２８の端部のサポート部２８ｂとコーナー部２３との間に支柱材３１が配される縦空間Ｓ２が形成される。この縦空間Ｓ２に、支柱材３１を挿入する。この後、被梱包物Ｐ上に天井材２９を被せ、天井材２９の両脇の挿入片部２９ｂを内装材２８上の係合スリット２８ｅに挿入係合して取り付ける。さらに、コーナー部２３における破断線２４ｂを破断して開口部２４を形成し、図２に示すように蓋部２２を被せて閉状態とする。最後に周囲にバンド４０を掛けまわして、パレット１０と箱部材２０とを固定し、梱包が完了する。
【００２６】
本実施形態にかかる梱包容器１によれば、以下の効果を奏する。すなわち、箱部材２０のコーナー部２３の一部に開口部２４を形成してコーナー部２３内側に支柱材３１を縦に配置することにより、簡単な構造で、補強機能と持ち手機能を兼ね備える容器構造を実現できる。また、容器自体のコーナー部の形状を有効利用した単純な構造であるため、製造が容易で製造コストを抑えることができ、汎用性も高い。また、箱状構造において特に高い強度が確保できる４隅に設置した支柱材３１を持ち上げる構成としたことにより、運搬時の負荷に強い構造とし、梱包容器１の破損を防止できる。
【００２７】
さらに、内装材２８によって支柱材３１を支持するサポート機能を果たすことができるとともに、支柱材３１の周りに隙間を形成することで、単純な構成で持ちやすい構造を実現できる。また、箱部材２０の一部に破断線２４ｂを形成しておき、運搬前に切取部２４ａを切り取ることとしたため、運搬までの箱部材２０の強度を確保できる。
【００２８】
なお、本発明は前記実施の形態に限定されるものではなく、本発明の要旨を逸脱しない範囲で種々変形実施可能である。また、各部の具体的構成や、各工程における具体的な手順等は、上記実施形態に例示したものに限られるものではなく適宜変更可能である。
【００２９】
例えば上記実施形態において底部は木製のパレット１０で構成したが、これに限られるものではない。例えば天井部と底部と側部とを一体に有する箱状部材にも本発明を適用できる。この場合にあっても、コーナー部に支柱材を通して露出させることで、上記実施形態と同様の効果を得られる。
【００３０】
また、開口部２４は切取部２４ａに限らず他の構造により構成されてもよい。例えば予め切欠きを形成しておいてもよい。また、支柱材３１の形状は円筒に限らず、角筒状、角柱状、円柱状を含む各種形状が適用できる。
【００３１】
さらに、上記実施形態の構成要件のうち一部を省略しても本発明を実現可能である。
【符号の説明】
【００３２】
Ｓ１…収容空間、Ｇ１…隙間、Ｓ２…縦空間、Ｐ…被梱包物、１…梱包容器、１０…パレット（底部）、１１…枠部材、１２…枠部材、１２Ａ…デッキボード、２０…箱部材、２１…側部、２１ａ〜２１ｄ…側面部、２２…蓋部、２２ａ〜２２ｄ…蓋片部、２３…コーナー部、２４…開口部、２４ａ…切取部（開口形成部）、２４ｂ…破断線、２８…内装材、２８ａ…壁構造部、２８ｂ…サポート部、２９…天井材、２９ｂ…挿入片部、２９ａ…天井部、３１…支柱材、３１ａ…上端面、３１ｂ…下端面、４０…バンド。
【図１】
2014024564.tif 000003
【図２】
2014024564.tif 000004